(57)【要約】  【課題】断面多角形状の塗布物と、押出機構を備えた容器本体に前記塗布物を押出可能に収容した容器とを備えた塗布製品において、保持姿勢を変化させることが容易であり、種々の塗布幅で塗布物を塗布できる構成を実現する。  【解決手段】断面多角形状の塗布物と、押出機構を備えた容器本体４に前記塗布物を押出可能に収容した容器３とを備えた塗布製品１に、前記容器本体４の前端側に設けられ使用者により保持される保持領域９が断面円形状をなし、後端側は前記塗布物に対応した断面形状をなす構成を採用する。【選択図】図１
2019030976.tif 000002
【特許請求の範囲】
【請求項１】
断面多角形状の塗布物と、押出機構を備えた容器本体に前記塗布物を押出可能に収容した容器とを備えた塗布製品であって、
前記容器本体の前端側に設けられ使用者により保持される保持領域が断面円形状をなすとともに一定の前後方向寸法を有し、後端側は前記塗布物に対応した断面形状をなす塗布製品。
【請求項２】
前記塗布物が断面四角形状をなす請求項１記載の塗布製品。
【請求項３】
前記容器が、前記容器本体と、前記容器本体の前端部に装着され前記保持領域と同一の断面形状を有するキャップとを備えたものであり、
前記容器が、その後端側から前端側に向かって徐々にその形状が変化し、前端の断面積が後端の断面積よりも大きくなっている請求項１又は２記載の塗布製品。
【請求項４】
前記容器本体の断面形状が、その後端側から前記保持領域に向かって漸次なめらかに変化する請求項３記載の塗布製品。
【請求項５】
前記容器本体が、該容器本体の主要部をなし合成樹脂により一体に形成されたボディと、このボディの後端に隣設され操作部を有する前記押出機構とを備え、前記操作部が前記ボディの後端部外周に連続する形態をなす請求項３又は４記載の塗布製品。
【請求項６】
前記塗布物が、断面視多角形状の糊である請求項１、２、３、４又は５記載の塗布製品。
【発明の詳細な説明】
【技術分野】
【０００１】
本発明は、断面多角形状の塗布物を容器に収容した塗布製品に関する。
【背景技術】
【０００２】
従来、断面四角形状の塗布物と、押出機構を備えた容器本体に前記塗布物を押出可能に収容した容器とを備えた塗布製品が知られている（例えば、特許文献１を参照）。
【０００３】
ところが、前記特許文献１記載のものは、容器本体の全体が四角柱状であるので、使用者の手指により両側からつまむように保持される保持領域もまた断面視四角形状である。そのため、一定の保持姿勢しかとることができず、断面四角形状の塗布物の一辺を塗布対象物に押し当てて塗布する以外の塗布態様が考慮されていなかった。すなわち、塗布幅を変化させるという考えが存在していなかった。
【先行技術文献】
【特許文献】
【０００４】
【特許文献１】特開２００２−２１１１９２号公報
【発明の概要】
【発明が解決しようとする課題】
【０００５】
本発明は以上の点に着目してなされたもので、保持姿勢を変化させることが容易であり、種々の塗布幅で塗布物を塗布できる塗布製品を実現することを目的とする。
【課題を解決するための手段】
【０００６】
請求項１記載の発明に係る塗布製品は、断面多角形状の塗布物と、押出機構を備えた容器本体に前記塗布物を押出可能に収容した容器とを備えた塗布製品であって、前記容器本体の前端側に設けられ使用者により保持される保持領域が断面円形状をなすとともに一定の前後方向寸法を有し、後端側は前記塗布物に対応した断面形状をなすものである。
【０００７】
請求項２記載の発明に係る塗布製品は、請求項１記載の構成のものにおいて、前記塗布物が断面四角形状をなすものである。
【０００８】
請求項３記載の発明に係る塗布製品は、請求項１又は２記載の構成のものにおいて、前記容器が、前記容器本体と、前記容器本体の前端部に装着され前記保持領域と同一の断面形状を有するキャップとを備えたものであり、前記容器が、その後端側から前端側に向かって徐々にその形状が変化し、前端の断面積が後端の断面積よりも大きくなっている。
【０００９】
請求項４記載の発明に係る塗布製品は、請求項３記載の構成のものにおいて、前記容器本体の断面形状が、その後端側から前記保持領域に向かって漸次なめらかに変化するものである。
【００１０】
請求項５記載の発明に係る塗布製品は、請求項３又は４記載の構成のものにおいて、前記容器本体が、該容器本体の主要部をなし合成樹脂により一体に形成されたボディと、このボディの後端に隣設され操作部を有する前記押出機構とを備え、前記操作部が前記ボディの後端部外周に連続する形態をなすものである。
【００１１】
請求項６記載の発明に係る塗布製品は、請求項１、２、３、４又は５記載の構成のものにおいて、前記塗布物が、断面視多角形状の糊である。
【００１２】
なお、本発明において、「断面多角形状」とは、狭義の正多角形に限らず、角部に丸みをつけた形状のものも含む概念である。
【００１３】
また、「形状が徐々に変化する」とは、形状が連続的に変化するものに限らず、形状が段階的に変化するものも含む概念である。
【発明の効果】
【００１４】
本発明によれば、保持姿勢を変化させることが容易であり、種々の塗布幅で塗布物を塗布できる塗布製品を実現することができる。
【図面の簡単な説明】
【００１５】
【図１】本発明の一実施形態に係る塗布製品を示す斜視図。
【図２】同実施形態に係る塗布製品を示す正面図。
【図３】同実施形態に係る塗布製品を示す平面図。
【図４】同実施形態に係る塗布製品を示す底面図。
【図５】図２におけるＡ−Ａ線に沿った断面図。
【図６】図２におけるＢ−Ｂ線に沿った断面図。
【図７】図３におけるＣ−Ｃ線に沿った断面図。
【図８】図３におけるＤ−Ｄ線に沿った断面図。
【図９】同実施形態に係る塗布製品を示す分解斜視図。
【図１０】同実施形態に係る塗布製品の使用態様を示す図。
【図１１】同実施形態に係る塗布製品の使用態様を示す図。
【発明を実施するための形態】
【００１６】
本発明の一実施形態を、図1〜図１１を参照しつつ以下に述べる。
【００１７】
本実施形態は、本発明をスティック糊等と称される塗布製品１に適用した場合のものである。
【００１８】
この塗布製品１は、図６〜図９に示すように、断面多角形状の塗布物２と、押出機構７を備えた容器本体４に前記塗布物２を押出可能に収容した容器３とを備えている。
【００１９】
前記塗布物２は、図６〜図９に示すように、断面多角形状、具体的には断面四角形状をなす固形の糊であり、前記容器本体４内に前方に押出可能に収容されている。
【００２０】
前記容器３は、図１、図２及び図７〜図９に示すように、後端側に前記押出機構７の操作部８が設けられた容器本体４と、この容器本体４の前端部に装着されるキャップ５とを具備する。
【００２１】
前記容器本体４は、図１、図２及び図７〜図９に示すように、この容器本体４の主要部をなし合成樹脂により一体に形成されたボディ６と、このボディ６の後端に隣設された前記操作部８を有する前記押出機構７とを備えてなる。
【００２２】
前記容器本体４のボディ６は、図１〜図３及び図６〜図９に示すように、その前端側６ａに、断面円形状をなし、使用者により保持される保持領域９が設けられている。この保持領域９は、一定の前後方向寸法を有している。より具体的には、この保持領域９の前後方向寸法は、該保持領域９を手指で安定して保持できるようにすべく、平均的な成人の人差し指の幅寸法の半分以上、より好ましくは平均的な成人の人差し指の幅寸法の以上となるように設定されている。一方、その後端側６ｂは、図１〜図３、図５及び図９に示すように、前記塗布物２に対応した断面形状すなわち断面四角形状をなす。ここで、このボディ６の断面形状は、図１、図２及び図７〜図９に示すように、後端側６ｂから前記保持領域９に向かって漸次なめらかに変化するように設定してある。なお、前記ボディ６の前端側６ａは、図６〜図８に示すように、外周に前記保持領域９が形成されている断面円形状の外壁１１と、この外壁１１の内側に配された断面四角形状の内壁１３とを備えた二重壁構造をなしており、前記内壁１３の内周は、前記容器本体４の後端側６ｂの内周と連続させてある。すなわち、これらの内周は、前記塗布物２に対応する断面四角形状をなしている。前記内壁１３は、前記外壁１１よりも前方に延出させてあり、この内壁１３の先端から塗布物２が順次前方に押し出されるようになっている。前記外壁１１の先端部外周には、図７及び図８に示すように、前記キャップ５が嵌合するキャップ装着用段部１５が形成されている。また、前記ボディ６の後端には、図７及び図８に示すように、前記押出機構７を保持する軸受部１７が設けられている。
【００２３】
前記押出機構７は、図７〜図９に示すように、前記軸受部１７に保持された主軸１９と、この主軸１９の中心部前端からボディ６内に延出させたネジ棒２１と、前記主軸１９の後端に設けられた前記操作部８と、前記ボディ６内に位置させてネジ棒２１に螺着されそのネジ棒２１の回転に伴って螺合進退する進退部材２３とを具備してなるもので、前記塗布物２の後端は、前記進退部材２３に保持されている。
【００２４】
前記操作部８は、図７〜図９に示すように、後端に開口２５ａを有する操作部本体２５と、この操作部本体２５の開口２５ａを覆う操作部カバー２７とを備えたものである。前記操作部本体２５は、前記ボディ６の後端部外周に連続する形態をなすものであり、主軸１９と一体化された底板２９と、この底板２９の外周縁から後方に向けて延出させた周壁３１とを備えている。なお、この操作部本体２５と、前記主軸１９と、前記ネジ棒２１とは、合成樹脂により一体に成形されている。一方、前記操作部カバー２７は、前記操作部本体２５と別体をなすもので、カバー板３３と、このカバー板３３の外周縁に形成された周壁３５とを備えている。そして、前記周壁３５を前記操作部本体２５の前記周壁３１の内周に嵌合させた状態で前記カバー板３３が前記操作部本体２５の開口２５ａを塞ぐように構成されている。前記操作部本体２５の周壁３１の内面には係合凹部３７が形成されているとともに、前記操作部カバー２７の周壁３５の外面には、係合凸部３９が設けられており、前記操作部カバー２７を前記操作部本体２５内に押し込むことにより前記係合凸部３９が前記係合凹部３７に係合してこの操作部カバー２７が操作部本体２５に固定されるようになっている。この実施形態では、以上説明した操作部８の外周面８ａ及び前記ボディ６の後端側６ｂの部位の外周面６ｂ１は、それぞれ断面正方形状のものであり、操作部８を９０度回転操作するごとにこの操作部８の外周面８ａと前記ボディ６の前記外周面６ｂ１とが連続するようにしてある。すなわち、前記容器本体４の断面形状は、その後端側６ｂから前記保持領域９に向かって漸次なめらかに変化している。なお、前記ボディ６の軸受部１７と前記主軸１９との間に、操作部８の外周面８ａとボディ６の前記外周面６ｂ１とが連続するごとに当該操作部８を節度停止させるための図示しない節度用の凹凸部を設けてもよい。
【００２５】
以上説明した容器本体４の前端部には、前記キャップ５が着脱可能に装着されている。
【００２６】
前記キャップ５は、前記塗布物２の前端部が露出している容器本体４の前端部分を覆うためのもので、図１、図２、図７及び図８に示すように、前記容器本体４の保持領域９と同一の断面形状を有している。すなわち、このキャップ５は、図１、図２、図４、図７及び図８に示すように、前端を載置面５ａとしたカップ状のもので、前記載置面５ａを形成する前壁４１と、この前壁４１の外周近傍部から後方に延出させた円筒状の周壁４３とを備えており、この周壁４３の外周面４３ａが前記保持領域９の外周面９ａと連続するように形成されている。一方、この周壁４３の外周面４３ａには、前記容器本体４のボディ６に設けた前記キャップ装着用段部１５と係合可能な装着段部４５が形成されている。なお、円板状をなす前記前壁４１の直径は、前記周壁４３の外径よりも大きく設定してあり、この前壁４１の外周部分がフランジ部４７をなしている。すなわち、このキャップ５は、前端に最も外径が大きなフランジ部４７を有しており、このフランジ部４７の前端面すなわち前記載置面５ａを下にして当該塗布製品１を起立状態で安定して載置しておくことができるようにしてある。換言すれば、前記容器３は、その後端側から前端側に向かって徐々にその形状が変化し、前端側の断面積が後端側の断面積よりも大きくなるように設定されており、これによって当該容器３を安定して起立させておくことができるようにしてある。
【００２７】
このような構成のものであれば、操作部８を回転させる事により、容器本体４内に収納されている塗布物２の先端部を容器本体４の前端から所望量突出させることができる。そのため、キャップ５を外した状態で、容器本体４の保持領域９を例えば親指と人差し指とで両側からつまんで保持し、その塗布物２の先端部を用紙等の塗布対象物に押し当てて移動させることにより、その塗布対象物の所望個所に塗布物２を塗布することができる。この実施形態の塗布物２は角柱状をなしているため、図１０に示すように、塗布物２の先端角部２ａを塗布対象物に押し付けて細い線状領域に塗布物２を塗布したり、図１１に示すように、塗布物２の先端辺部２ｂを塗布対象物に押し付けて幅の広い帯状領域に塗布物２を塗布したりすることができる。その際、使用者が親指Ｔ、人差し指Ｆで摘まむ保持領域９が断面円形状をなす円筒面により構成されており、該保持領域９が一定の前後方向寸法を有するため、いずれの使用形態により塗布作業を行う場合でも違和感なく保持することができる。しかも、図１０に示す第一の使用形態から図１１に示す第二の使用形態に切り替える場合でも、親指Ｔ、人差し指Ｆを容器本体４から離すことなく微動操作して容器本体４を軸心Ｌ周りに回転させるだけで済むため、多様な塗布作用を効率よく行うことができる。さらに、塗布作業の途中で容器本体４を軸心Ｌ周りに回転させて塗布角度を変更することもできるので、塗布対象物である封筒ののりしろに塗布物２を隙間無く塗布するといった要望にも対応可能である。また、図１０に示す使用形態と図１１に示す使用形態との中間の使用形態をとることも容易であり、塗布幅を微妙に調整しつつ塗布作業を進めることも可能になる。加えて、幅の広い帯状領域に塗布物２を塗布する際には、図１１に示すような塗布物２の先端辺部２ｂを塗布対象物に押し付ける態様のみならず、塗布物２の先端を塗布対象物に面的に押し付け、塗布物２の対角線の幅で塗布対象物に塗布物２を塗布することも可能である。さらに、塗布物２の断面形状を工夫すれば、塗布幅を複数段階に変更することや、連続的に変更できるようにすることもできる。しかも、容器本体４の後端側、より具体的には前記ボディ６の後端側６ｂは塗布物２の断面形状に対応した断面多角形状にしてあるため、キャップ５を装着した状態でも塗布物２の形状を使用者に示唆することができるだけでなく、その内部に塗布物２を隙間なく収容することが可能となり、デッドスペースを極小にして塗布製品１全体のコンパクト化を図ることができる。
【００２８】
なお、塗布物は糊に限らず、塗布するものであればどのようなものであってもよく、例えば、筆記用の芯材や、化粧品等が含まれる。
【００２９】
また、前記容器の形状は、上述した実施形態のものに限られないのはもちろんであるが、前記実施形態のように、後端側から前端側に向かって徐々にその形状が変化し、前端の断面積が後端の断面積よりも大きくなっているものであれば、前端側を下にした姿勢で安定して起立させることができる。特に、前記容器本体の断面形状が、その後端側から前記保持領域に向かって漸次なめらかに変化するものであれば、外形上の違和感を招くことなく各個所に適した断面形状を実現することができる。
【００３０】
加えて、塗布物及び容器本体の後端側の形状は、断面四角形状に限らず、断面多角形状であれば、断面三角形状、あるいは断面六角形状等、どのようなものであってもよい。
【００３１】
その他、本発明の趣旨を損ねない範囲で種々に変更してよい。
【符号の説明】
【００３２】
１…塗布製品
２…塗布物
３…容器
４…容器本体
５…キャップ
７…押出機構
９…保持領域
【図１】
2019030976.tif 000003
【図２】
2019030976.tif 000004
【図３】
2019030976.tif 000005
【図４】
2019030976.tif 000006
【図５】
2019030976.tif 000007
【図６】
2019030976.tif 000008
【図７】
2019030976.tif 000009
【図８】
2019030976.tif 000010
【図９】
2019030976.tif 000011
【図１０】
2019030976.tif 000012
【図１１】
2019030976.tif 000013